(57)【特許請求の範囲】
【請求項１】
室内側ガラス障子の召し合わせ側縦枠の外側面に装着される掛け具と、室外側ガラス障子の召し合わせ側の側部の内表面に取付けられる帯板状の受け具とからなり、前記掛け具が、召し合わせ側縦枠の外側面に取付けられるケースを有し、そのケースの前記室外側ガラス障子と対向する後板に挿入孔を形成し、前記ケース内には、前記挿入孔に向けてスライド自在に支持されて先端部が挿入孔から出没可能な係合子と、その係合子をケース内に没入する方向に向けて付勢する弾性部材とを組込み、前記ケースの前板を貫通し、その前板の前側に配置されるレバーの操作により回動されるレバー軸の先端部に、そのレバー軸の回転運動を係合子の直線的なスライド運動に変換するカム部材を設けた構成とされ、前記受け具には、前記室内側ガラス障子を少し開放させた状態で前記挿入孔から突出する係合子の先端部が戸当たり面側の側面に対して係合可能とされ、係合状態において室内側ガラス障子の閉鎖方向への移動を防止し、開放方向への移動を許容する係合突条を設けた窓の閉め出し防止具。
【請求項２】
前記受け具に、室内側ガラス障子の閉鎖状態において、前記係合子の先端部が係合可能なロック用係合孔を設けた請求項１に記載の窓の閉め出し防止具。
【請求項３】
前記受け具の前記係合突条から窓枠の戸当たり面側に片寄った位置に、前記係合子の先端部が係合可能な換気用係合孔を設けた請求項１又は２に記載の窓の閉め出し防止具。
【発明の詳細な説明】
【技術分野】
【０００１】
この発明は、窓の室内側ガラス障子を閉鎖することができないようにする閉め出し防止具に関する。
【背景技術】
【０００２】
窓枠の開口を２枚の引き違いのガラス障子によって開閉するようにした窓においては、普通、クレセント錠により施錠して、防犯対策を採り、また、クレセント錠を解錠し、室内側ガラス障子の開放により、室内からベランダに出入して洗濯物を干し、あるいは、乾燥後の洗濯物の取り入れを行なうようにしている。
【発明の概要】
【発明が解決しようとする課題】
【０００３】
ところで、幼児のいる家庭では、ベランダに出て洗濯物を干し、あるいは、掃除を行なっているとき、室内に残る幼児によってガラス障子が閉鎖され、クレセント錠が誤って施錠操作されて閉め出しされる場合が多くあり、その閉め出し防止の対策が要望されている。
【０００４】
この発明の課題は、窓からの閉め出しを防止することができるようにした閉め出し防止具を提供することである。
【課題を解決するための手段】
【０００５】
上記の課題を解決するために、この発明においては、室内側ガラス障子の召し合わせ側縦枠の外側面に装着される掛け具と、室外側ガラス障子の召し合わせ側の側部の内表面に取付けられる帯板状の受け具とからなり、前記掛け具が、召し合わせ側縦枠の外側面に取付けられるケースを有し、そのケースの前記室外側ガラス障子と対向する後板に挿入孔を形成し、前記ケース内には、前記挿入孔に向けてスライド自在に支持されて先端部が挿入孔から出没可能な係合子と、その係合子をケース内に没入する方向に向けて付勢する弾性部材とを組込み、前記ケースの前板を貫通し、その前板の前側に配置されるレバーの操作により回動されるレバー軸の先端部に、そのレバー軸の回転運動を係合子の直線的なスライド運動に変換するカム部材を設けた構成とされ、前記受け具には、前記室内側ガラス障子を少し開放させた状態で前記挿入孔から突出する係合子の先端部が戸当たり面側の側面に対して係合可能とされ、係合状態において室内側ガラス障子の閉鎖方向への移動を防止し、開放方向への移動を許容する係合突条を設けた構成を採用したのである。
【０００６】
上記の構成からなる閉め出し防止具において、窓からベランダ等の屋外に出て行く場合は、室内側ガラス障子を開放し、レバーの操作によりレバー軸を回転して、そのレバー軸と共に回転するカム部材のカム作用により係合子を挿入孔に向けて移動させ、その係合子の先端部を受け具に形成された係合突条の戸当たり面側の側面と対向する位置に突出させておくようにする。
【０００７】
上記のように、係合子の先端部を係合突条の戸当たり面側の側面と対向する位置に突出させておくことにより、室内側に残る幼児等によって、万一、室内側ガラス障子が閉鎖位置に向けて移動されたとしても、係合子の先端部が係合突条の側面に当接して、室内側ガラス障子は閉鎖しない。
【０００８】
このとき、室内側ガラス障子の召し合わせ側縦枠と室外側ガラス障子の召し合わせ側縦枠は左右方向に位置ずれする状態にあるため、クレセント錠の掛け金を受け金に係合させることができなくなり、閉め出しを防止することができる。
【０００９】
ここで、受け具に、室内側ガラス障子の閉鎖状態において、前記係合子の先端部が係合可能なロック用係合孔を設けておくと、そのロック用係合孔に対する係合子の先端部の係合によって、一対のガラス障子を閉鎖状態にロックすることができるため、補助錠としての機能を付加することができる。
【００１０】
また、受け具の前記係合突条から窓枠の戸当たり面側に片寄った位置に、前記係合子の先端部が係合可能な換気用係合孔を設けておくと、その換気用係合孔に対する係合子の先端部の係合によって、室内側ガラス障子を開放状態に保持することができ、室内を換気することができる。このとき、室内側ガラス障子の開放量を手が入れることができない程度の大きさとすることで、防犯性を維持する状態で室内の換気を行なうことができる。
【発明の効果】
【００１１】
上記のように、この発明に係る閉め出し防止具においては、室内側ガラス障子を開放し、レバーの操作によりレバー軸を回転して、係合子の先端部を受け具に形成された係合突条の窓枠の戸当たり面側の側面と対向する位置に突出させておくことにより、室内側ガラス障子を閉鎖状態とすることができず、また、クレセント錠が誤って施錠されることもないため、閉め出しを完全に防止することができる。
【図面の簡単な説明】
【００１２】
【図１】この発明に係る閉め出し防止具が取付けられた窓の正面図
【図２】図１の閉め出し防止具の取付け部位を拡大して示す正面図
【図３】図２のIII−III線に沿った断面図
【図４】図２のIV−IV線に沿った断面図
【図５】図２のV−V線に沿った断面図
【図６】閉め出し防止具の閉め出し防止状態を示す縦断側面図
【図７】図６の横断平面図
【図８】閉め出し防止具のロック状態を示す縦断側面図
【図９】図８の横断平面図
【図１０】閉め出し防止具の換気状態を示す横断平面図
【発明を実施するための形態】
【００１３】
以下、この発明の実施の形態を図面に基づいて説明する。図１乃至図５に示すように、窓枠１の内側開口２内には２枚のガラス障子Ｓ１、Ｓ２が引き違い可能として移動自在に組込まれている。
【００１４】
２枚のガラス障子Ｓ１、Ｓ２のうち、室内側ガラス障子Ｓ１の召し合わせ側縦枠３ａの外側面の高さ方向の中央部にはクレセント錠５の掛け金５ａが取付けられ、一方、室外側ガラス障子Ｓ２の召し合わせ側縦枠３ｂの内側面には受け金５ｂが取付けられ、その受け金５ｂに対する掛け金５ａの係合によって、室内側ガラス障子Ｓ１と室外側ガラス障子Ｓ２は施錠状態とされる。
【００１５】
室内側ガラス障子Ｓ１の召し合わせ側縦枠３ａの上部にはホルダ１０が取付けられ、そのホルダ１０によって掛け具２０が支持されている。一方、室外側ガラス障子Ｓ２における上枠４の召し合わせ側端部の内表面には、上記掛け具２０とで閉め出し防止具を形成する受け具４０が取付けられている。
【００１６】
ここで、ホルダ１０は、図２および図５に示すように、召し合わせ側縦枠３ａに接着またはねじ止めされる断面Ｌ形のフロント枠１１およびリヤ枠１２を有し、そのリヤ枠１２の召し合わせ側縦枠３ａの内面と対向する板体１３の上下端縁に側方に張り出して上下で対向する一対のＬ形の支持板１４を設けた構成とされ、上記一対の支持板１４間に掛け具２０が組込まれている。
【００１７】
図４および図５に示すように、掛け具２０は、一対の支持板１４間に組込まれて、その支持板１４にねじ止めされる角形のケース２１を有している。
【００１８】
ケース２１の室内側ガラス障子Ｓ２の上枠４と対向する後板２２には縦長孔からなる挿入孔２３が形成されている。また、ケース２１の内部には、その挿入孔２３に向けてスライド自在に支持されて上記挿入孔２３に対して出没可能な板状の係合子２４と、その係合子２４をケース２１内に没入する方向に向けて付勢する弾性部材としてのスプリング２５が組込まれている。
【００１９】
さらに、ケース２１の前板２６には、軸挿入孔２７が形成され、その軸挿入孔２７内にレバー２８に設けられたレバー軸２９が挿入されて回転自在に支持されている。
【００２０】
レバー軸２９の先端部には筒状のカム部材３０が設けられている。カム部材３０の先端には傾斜カム面３１が形成され、その傾斜カム面３１の一部が係合子２４の後端部に形成されたＶ形の切欠部３２に嵌合し、上記カム部材３０の回転によるカム作用により係合子２４がスライドして、その先端部が挿入孔２３から出没するようになっている。
【００２１】
ここで、レバー２８が横向きの状態にあるとき、係合子２４の後端は傾斜カム面３１の最低所端に接触して、係合子２４は、図５に示すように、挿入孔２３内に没入しており、上記横向きのレバー２８を上向きの位置（閉め出し防止位置）まで回動させ、あるいは、下向きの位置（ロック位置）まで回動させると、係合子２４の先端部が挿入孔２３から突出する。この場合、レバー２８を上向きの位置まで回動させると、係合子２４は、その先端が受け具４０の表面と微少な間隔をおいて対向する位置まで突出し、また、レバー２８を下向きの位置まで回動させると、係合子２４は、その先端が上枠４の表面と微少な間隔をおいて対向する位置まで突出するようになっている。
【００２２】
図２および図５に示すように、受け具４０は帯板からなり、その受け具４０には室外側ガラス障子Ｓ２の召し合わせ側縦枠３ｂに対向する一端から他端に向けてロック用係合孔４１と、上下方向に長く延びる係合突条４２と、第１換気用係合孔４３および第２換気用係合孔４４が順に設けられ、上記ロック用係合孔４１、第１換気用係合孔４３および第２換気用係合孔４４のそれぞれに対して係合子２４の先端部が係合可能とされている。
【００２３】
ロック用係合孔４１は、室内側ガラス障子Ｓ１と室外側ガラス障子Ｓ２を閉鎖状態とした時、掛け具２０の係合子２４と前後で対向し、そのロック用係合孔４１に係合子２４の先端部を係合させることにより、室内側ガラス障子Ｓ１と室外側ガラス障子Ｓ２は閉鎖状態でロックされるようになっている。
【００２４】
係合突条４２は、室内側ガラス障子Ｓ１を少し開放して召し合わせ側縦枠３ａを室外側ガラス障子Ｓ２の召し合わせ側縦枠３ｂに対して左右方向に位置をずらせた状態において挿入孔２３と前後で対向するようになっている。
【００２５】
実施の形態で示す窓は上記の構造からなり、図５は、室内側ガラス障子Ｓ１および室外側ガラス障子Ｓ２の閉鎖状態を示し、その閉鎖状態において、室内側ガラス障子Ｓ１の召し合わせ側縦枠３ａと室外側ガラス障子Ｓ２の召し合わせ側縦枠３ｂとは前後で対向する状態にあるため、図３に示すクレセント錠５を施錠することができる。
【００２６】
窓の閉め出しの防止に際しては、室内側ガラス障子Ｓ１を開放し、係合子２４の先端が受け具４０の係合突条４２の位置を通過する位置まで室内側ガラス障子Ｓ１を開放させた状態で、レバー２８を閉め出し防止位置まで回動させる。
【００２７】
レバー２８を閉め出し防止位置まで回動させると、レバー２８と共に回転するカム部材３０のカム作用により、係合子２４が挿入孔２３から突出して、図６および図７に示すように、その先端部が係合突条４２の戸当たり面側の側面と左右方向で対向する状態となる。
【００２８】
上記のように、係合子２４の先端部を係合突条４２の戸当たり面側の側面と対向する位置に突出させておくと、室内側に残る幼児等によって、万一、室内側ガラス障子Ｓ１が閉鎖位置に向けて移動されたとしても、係合子２４の先端部が係合突条４２に当接し、室内側ガラス障子Ｓ１を閉鎖状態とすることができなくなる。
【００２９】
このとき、室内側ガラス障子Ｓ１の召し合わせ側縦枠３ａと室外側ガラス障子Ｓ２の召し合わせ側縦枠３ｂは左右方向に位置ずれしているため、クレセント錠５の掛け金５ａを受け金５ｂに係合させることができなくなり、閉め出しの防止を図ることができる。
【００３０】
ここで、室内側ガラス障子Ｓ１を閉鎖状態として、レバー２８をロック位置まで回動させると、図８および図９に示すように、係合子２４の先端部がロック用係合孔４１に係合して、室内側ガラス障子Ｓ１を閉鎖位置においてロックすることになり、補助錠としての機能を発揮する。
【００３１】
また、掛け具２０の挿入孔２３が受け具４０の第１換気用係合孔４３と前後で対向する位置まで室内側ガラス障子Ｓ１を開放させた後、レバー２８をロック位置まで回動させると、図１０に示すように、係合子２４の先端部が第１換気用係合孔４３に係合し、その係合によって、室内側ガラス障子Ｓ１は開放状態に保持され、室内を換気することができる。
【００３２】
なお、係合子２４を第２換気用係合孔４４に係合させることによっても室内を換気することができる。その室内の換気状態において、室内側ガラス障子Ｓ１の開放量が人の手を差し込むことができるような大きさであると、安全性に問題が生じるため、上記開放量は手を入れることができない程度の大きさとしておくのがよい。
【００３３】
実施の形態においては、室内側ガラス障子Ｓ１の縦枠３ａの外側面の上部に掛け具２０を取付けるようにしたが、掛け具２０はこれに限定されるものではなく、上記縦枠３ａのいずれの位置に掛け具２０を取付けるようにしてもよく、その掛け具２０の取付け位置に応じて受け具４０の取付け位置を決定する。したがって、受け具４０は、室外側ガラス障子Ｓ２のガラス面に取付ける場合もある。
【符号の説明】
【００３４】
Ｓ１  室内側ガラス障子
Ｓ２  室外側ガラス障子
２０  掛け具
２１  ケース
２２  後板
２３  挿入孔
２４  係合子
２５  スプリング（弾性部材）
２６  前板
２８  レバー
２９  レバー軸
３０  カム部材
４０  受け具
４１  ロック用係合孔
４２  係合突条
４３  第１換気用係合孔
４４  第２換気用係合孔
【図１】
0005441155.tif 000002
【図２】
0005441155.tif 000003
【図３】
0005441155.tif 000004
【図４】
0005441155.tif 000005
【図５】
0005441155.tif 000006
【図６】
0005441155.tif 000007
【図７】
0005441155.tif 000008
【図８】
0005441155.tif 000009
【図９】
0005441155.tif 000010
【図１０】
0005441155.tif 000011